(57)【要約】【課題】ハンドルを押し引きしてラッチを回動させることができつつ、部品点数を抑えてコンパクトにすることができるハンドル装置を提供する。【解決手段】扉１５に設けられて見込み方向に押し引きされるハンドル部２と、扉１５に設けられてハンドル部２の見込み方向に押し引きされる動作がハンドル部２から直接当接して伝達されるように構成され、ハンドル部２の見込み方向に押し引きされる動作が伝達されると見込み方向に延びる軸部（回動軸）を中心として回動して扉１５の端面から出没するラッチ部３と、枠部１４に設けられて扉１５の端面から突出したラッチ部３を係止するラッチ受け部４と、を有する。【選択図】図７
2020122357.tif 000002
【特許請求の範囲】
【請求項１】
開口部の縁部に設けられた枠部と、前記枠部の内側に設けられて開口部を開閉する扉と、を有する建具に取り付けられるハンドル装置において、
前記扉に設けられて見込み方向に押し引きされるハンドル部と、
前記扉に設けられて前記ハンドル部の見込み方向に押し引きされる動作が前記ハンドル部から直接当接して伝達されるように構成され、前記ハンドル部の見込み方向に押し引きされる動作が伝達されると見込み方向に延びる回動軸を中心として回動して前記扉の端面から出没するラッチ部と、
前記枠部に設けられて前記扉の端面から突出した前記ラッチ部を係止するラッチ受け部と、を有し、
前記ラッチ部は、棒状に形成されて、長さ方向の途中位置に前記回動軸が位置し、前記回動軸を中心として回動して上下方向に対して斜めに延びる姿勢となると前記扉の端面から突出して前記ラッチ受け部に係止され、前記回動軸を中心として回動して上下方向に延びる姿勢となると前記扉の内部に収容されて前記ラッチ受け部の係止が解除されることを特徴とするハンドル装置。
【請求項２】
前記ラッチ部は、長さ方向の一方の端部に設けられ前記ラッチ受け部に係止される被係止部と、
長さ方向の他方の端部に設けられ前記ハンドル部の見込み方向に押し引きされる動作が作用するハンドル動作作用部と、を有し、
前記回動軸は、前記被係止部と前記ハンドル動作作用部との間に配置され、
前記回動軸から前記被係止部までの距離は、前記回動軸から前記ハンドル動作作用部までの距離よりも長く設定されている請求項１に記載のハンドル装置。
【請求項３】
前記ラッチ部は、長さ方向の一方の端部に設けられ前記ラッチ受け部に係止される被係止部と、
長さ方向の他方の端部に設けられ前記ハンドル部の見込み方向に押し引きされる動作が作用するハンドル動作作用部と、を有し、
前記ハンドル動作作用部は、見込み方向の少なくとも一方の面に傾斜面を有し、
前記ハンドル部は、前記傾斜面と当接可能なラッチ当接部を有する請求項１または２に記載のハンドル装置。
【請求項４】
前記傾斜面は、前記ハンドル動作作用部の見込み方向の一方の面に設けられた第１傾斜面と、前記ハンドル動作作用部の見込み方向の他方の面に設けられた第２傾斜面と、を有し、
前記ラッチ当接部は、前記第１傾斜面と当接可能な第１ラッチ当接部と、前記第２傾斜面と当接可能な第２ラッチ当接部と、を有し、
前記第１ラッチ当接部と、前記第２ラッチ当接部とは、前記ハンドル動作作用部を見込み方向から挟みこむように配置される請求項３に記載のハンドル装置。
【発明の詳細な説明】
【技術分野】
【０００１】
本発明は、ハンドル装置に関する。
【背景技術】
【０００２】
扉にラッチが設けられた建具では、開閉の際に使用者が操作するハンドルの動作に連動してラッチが動くハンドル装置が設けられている。
特許文献１および２に開示されたハンドル装置では、ハンドルを押し引き操作することでラッチを回動させるように構成されている。
【先行技術文献】
【特許文献】
【０００３】
【特許文献１】特開２００４−６８５１８号公報
【特許文献２】特開２０１８−８４０８２号公報
【発明の概要】
【発明が解決しようとする課題】
【０００４】
ハンドルの押し引き操作でラッチを回動させるためには、ハンドルの動作をラッチの回動方向の動作に変換する機構を設ける必要がある。ハンドル装置に、ハンドルおよびラッチとは別にこのような機構を設けると、部品点数が多くなるとともに大型化するため、意匠性を損ねる虞がある。
【０００５】
そこで、本発明は、ハンドルを押し引きしてラッチを回動させることができつつ、部品点数を抑えてコンパクトにすることができるハンドル装置を提供することを目的とする。
【課題を解決するための手段】
【０００６】
上記目的を達成するため、本発明に係るハンドル装置は、開口部の縁部に設けられた枠部と、前記枠部の内側に設けられて開口部を開閉する扉と、を有する建具に取り付けられるハンドル装置において、前記扉に設けられて見込み方向に押し引きされるハンドル部と、前記扉に設けられて前記ハンドル部の見込み方向に押し引きされる動作が前記ハンドル部から直接当接して伝達されるように構成され、前記ハンドル部の見込み方向に押し引きされる動作が伝達されると見込み方向に延びる回動軸を中心として回動して前記扉の端面から出没するラッチ部と、前記枠部に設けられて前記扉の端面から突出した前記ラッチ部を係止するラッチ受け部と、を有し、前記ラッチ部は、棒状に形成されて、長さ方向の途中位置に前記回動軸が位置し、前記回動軸を中心として回動して上下方向に対して斜めに延びる姿勢となると前記扉の端面から突出して前記ラッチ受け部に係止され、前記回動軸を中心として回動して上下方向に延びる姿勢となると前記扉の内部に収容されて前記ラッチ受け部の係止が解除されることを特徴とする。
【０００７】
本発明では、ハンドル部の見込み方向に押し引きされる動作が、ハンドル部からラッチ部に直接当接して伝達され、ラッチ部が回動するように構成されている。そして、ラッチ部は、上下方向に対して斜めとなる姿勢となるとラッチ部がラッチ受け部に係止され、上下方向に延びる姿勢となるとラッチ受け部による係止が解除される。
このため、ラッチ部をラッチ受け部に係止されている状態と係止されていない状態に切り替える際には、ラッチ部を大きく回動させる必要がなく、ハンドル部を見込み方向に押し引きするという小さい動作を行えばよい。
このように、ハンドル部がラッチ部と当接しているとともに、ハンドル部の小さい動作でラッチ部を回動させることができるため、ハンドル部の見込み方向への押し引き動作を変換してラッチ部を回動させる機構を簡便な構成とすることができ、ハンドル装置の部品点数を抑えてコンパクトにすることができる。
【０００８】
また、本発明に係るハンドル装置では、前記ラッチ部は、長さ方向の一方の端部に設けられ前記ラッチ受け部に係止される被係止部と、長さ方向の他方の端部に設けられ前記ハンドル部の見込み方向に押し引きされる動作が作用するハンドル動作作用部と、を有し、前記回動軸は、前記被係止部と前記ハンドル動作作用部との間に配置され、前記回動軸から前記被係止部までの距離は、前記回動軸から前記ハンドル動作作用部までの距離よりも長く設定されていてもよい。
このような構成とすることにより、ハンドル動作作用部の動作が小さくても、被係止部
を確実に回動させることができる。
【０００９】
また、本発明に係るハンドル装置では、前記ラッチ部は、長さ方向の一方の端部に設けられ前記ラッチ受け部に係止される被係止部と、長さ方向の他方の端部に設けられ前記ハンドル部の見込み方向に押し引きされる動作が作用するハンドル動作作用部と、を有し、前記ハンドル動作作用部は、見込み方向の少なくとも一方の面に傾斜面を有し、前記ハンドル部は、前記傾斜面と当接可能なラッチ当接部を有していてもよい。
このような構成とすることにより、ハンドル部のラッチ当接部がハンドル動作作用部の傾斜面に直接的に作用するため、複雑な機構を備える必要なくハンドル部の見込み方向への押し引き動作を変換してラッチ部を回動させることができる。
【００１０】
また、本発明に係るハンドル装置では、前記傾斜面は、前記ハンドル動作作用部の見込み方向の一方の面に設けられた第１傾斜面と、前記ハンドル動作作用部の見込み方向の他方の面に設けられた第２傾斜面と、を有し、前記ラッチ当接部は、前記第１傾斜面と当接可能な第１ラッチ当接部と、前記第２傾斜面と当接可能な第２ラッチ当接部と、を有し、前記第１ラッチ当接部と、前記第２ラッチ当接部とは、前記ハンドル動作作用部を見込み方向から挟みこむように配置されていてもよい。
このような構成とすることにより、ハンドル部の見込み方向の両側それぞれへの押し引き動作を変換してラッチ部を回動させることができる。
【発明の効果】
【００１１】
本発明によれば、ハンドル部を押し引きしてラッチ部を回動させることができつつ、ハンドル装置の部品点数を抑えてコンパクトにすることができる。
【図面の簡単な説明】
【００１２】
【図１】本発明の実施形態によるハンドル装置が設けられた建具の一例を示す図である。
【図２】本発明の実施形態によるハンドル装置の分解斜視図である。
【図３】図２から第２縦フレームを省略した図である。
【図４】ハンドル部およびラッチ部の分解斜視図である。
【図５】ハンドル本体を前側から見た図である。
【図６】図１のＡ−Ａ線断面である。
【図７】ハンドル本体が第２位置に配置された状態を説明する図６に対応する図である。
【図８】ハンドル本体が第３位置に配置された状態を説明する図６に対応する図である。
【図９】図６のＢ−Ｂ線断面に対応する図である。
【図１０】図７のＣ−Ｃ線断面に対応する図である。
【図１１】ラッチ本体を後側から見た図である。
【図１２】本実施形態の変形例によるハンドル装置のラッチ部を示す斜視図である。
【図１３】本実施形態の変形例によるハンドル装置のラッチ受け部を省略した斜視図である。
【図１４】図１３のＤ−Ｄ線断面図である。
【発明を実施するための形態】
【００１３】
以下、本発明の実施形態によるハンドル装置について、図１乃至図１１に基づいて説明する。
図１に示すように、本実施形態によるハンドル装置１は、壁部１１に形成された開口部１２に設けられた建具１３に取り付けられている。建具１３は、開き戸で、壁部１１に形成された開口部１２の縁部に設けられた枠部１４と、枠部１４の内側に設けられて開口部１２を開閉する扉１５と、を有している。
扉１５は、丁番を介して枠部１４に鉛直軸回りに回転可能に取り付けられている。
【００１４】
壁部１１に直交する水平方向（壁部１１の壁厚方向、図１の紙面に直交する方向）を見込み方向とし、見込み方向に直交する水平方向（壁部１１に沿った水平方向）を幅方向（図１の左右方向）とする。壁部１１に対して、見込み方向の一方側（図１の紙面に直交する方向の手前側）を室内１６側とし、見込み方向の他方側（図１の紙面に直交する方向の奥側）を室外１７側とする。各部材の説明では、扉１５が開口部１２を閉鎖している状態であるものとする。
【００１５】
図１に示すように、開口部１２は、見込み方向から見た形状が長方形状に形成されている。本実施形態では、枠部１４は、三方枠で、開口部１２の上縁部に沿って設けられ幅方向に延びる上枠部１４１と、開口部１２の幅方向の一方側の縁部に沿って設けられ上下方向に延びる第１縦枠部１４２と、開口部１２の幅方向の他方側の縁部に沿って設けられ上下方向に延びる第２縦枠部１４３と、を有している。
【００１６】
扉１５は、板面が長方形の板状に形成されている。扉１５は、外周部に設けられたフレーム１５１と、フレーム１５１の内側に設けられた平板状の扉板部１５２と、を有している。
フレーム１５１は、四角枠で、扉板部１５２の上縁部に沿って設けられ幅方向に延びる上フレーム１５３と、扉板部１５２の下縁部に沿って設けられ幅方向に延びる下フレーム１５４と、扉板部１５２の幅方向の一方側の縁部に沿って設けられ上下方向に延びる第１縦フレーム１５５と、扉板部１５２の幅方向の他方側の縁部に沿って設けられ上下方向に延びる第２縦フレーム１５６と、を有している。
【００１７】
扉１５は、開口部１２を閉鎖すると、第１縦フレーム１５５が第１縦枠部１４２と対向し、第２縦フレーム１５６が第２縦枠部１４３と対向している。扉１５は、第１縦フレーム１５５に取り付けられた丁番を介して第１縦枠部１４２に取り付けられている。扉１５は、開閉すると、第１縦フレーム１５５側が軸となり第２縦フレーム１５６側が円弧を描くように回転する。
【００１８】
図１および図２に示すように、ハンドル装置１は、扉１５に設けられて見込み方向に押し引きされるハンドル部２と、扉１５に設けられてハンドル部２の動作に連動して扉１５の端面から出没するラッチ部３と、枠部１４（図１参照）に設けられてラッチ部３を係止するラッチ受け部４と、を有している。
ハンドル装置１は、建具１３の上下方向の中間部に設けられている。本実施形態では、ハンドル装置１は、見込み方向に対称となる形状に形成されている。
【００１９】
図１に示すように、扉１５の扉板部１５２には、幅方向の他方側の端部近傍における上下方向の中間部に、見込み方向に貫通するとともに幅方向の他方側に開口する扉板切り欠き部１５２ａが形成されている。扉板切り欠き部１５２ａは、上下方向に延びている。扉板切り欠き部１５２ａには、ハンドル部２が配置される。扉板切り欠き部１５２ａに配置されたハンドル部２は、第２縦フレーム１５６の幅方向の一方側に隣接している。
【００２０】
扉１５の第２縦フレーム１５６には、上下方向の中間部に幅方向に貫通するフレーム貫通部１５６ａが形成されている。フレーム貫通部１５６ａは、扉板切り欠き部１５２ａと幅方向に隣接している。フレーム貫通部１５６ａは、上下方向に延びている。フレーム貫通部１５６ａには、ラッチ部３が配置される。ラッチ部３は、ハンドル部２の幅方向の他方側に隣接している。
ハンドル部２およびラッチ部３の説明では、ハンドル部２とラッチ部３を結ぶ方向（幅方向）のうちラッチ部３に対するハンドル部２側（幅方向の一方側）を後側とし、ハンドル部２側に対するラッチ部３側（幅方向の他方側）を前側とし、幅方向を前後方向とすることがある。
【００２１】
枠部１４の第２縦枠部１４３には、上下方向の中間部に幅方向の一方側に開口する枠切り欠き部１４３ａが形成されている。枠切り欠き部１４３ａは、第２縦フレーム１５６のフレーム貫通部１５６ａと同じ高さでフレーム貫通部１５６ａと幅方向に対向するように配置されている。枠切り欠き部１４３ａには、ラッチ受け部４が配置される。
【００２２】
図２−４に示すように、ハンドル部２は、使用者が把持して見込み方向に押し引きするハンドル本体２１と、扉１５に固定されハンドル本体２１を見込み方向に移動可能に支持するハンドル本体支持部２２と、を有している。図３では、第２縦フレーム１５６およびラッチ部３のカバー部３８を省略している。
図４、図５に示すように、ハンドル本体２１は、使用者が把持する一対の把持部２３，２４と、一対の把持部２３，２４を連結する連結部２５と、一対の把持部２３，２４の間に設けられラッチ部３のラッチ本体３１（図４参照）に当接してラッチ本体３１を連動させるラッチ当接部２６と、を有している。
【００２３】
一対の把持部２３，２４は、それぞれ上下方向に延びる長尺に形成され、見込み方向に間隔をあけて配置されている。一対の把持部２３，２４のうち、一方の把持部２３（第１把持部２３とする）は、扉板部１５２（図１参照）の室内１６側に配置され、他方の把持部２４（第２把持部２４とする）は、扉板部１５２の室外１７側に配置されている。第１把持部２３と第２把持部２４とは、見込み方向に対称に形成されている。
【００２４】
第１把持部２３は、板面が見込み方向を向く平板状の第１把持板部２３１と、第１把持板部２３１の上縁部から室外１７側に延びる第１上板部２３２と、第１把持板部２３１の下縁部から室外１７側に延びる第１下板部２３３と、第１把持板部２３１の前縁部（幅方向の他方側の縁部）から室外１７側に延びる第１側板部２３４と、を有している。
また、第１把持部２３は、第１把持板部２３１の上縁部のやや下側から室外１７側に延びる第１上側中板部２３５と、第１把持板部２３１の下縁部のやや上側から室外１７側に延びる第１下側中板部２３６と、を有している。第１上側中板部２３５は、第１上板部２３２の下側に間隔をあけて配置されている。第１下側中板部２３６は、第１下板部２３３の上側に間隔をあけて配置されている。
【００２５】
第１側板部２３４は、第１上側中板部２３５よりも上側に位置する第１上側部分２３４ａ、および第１下側中板部２３６よりも下側に位置する第１下側部分２３４ｂが、第１上側中板部２３５と第１下側中板部２３６との間の高さに位置する第１中間部分２３４ｃよりも板厚が薄く形成されている。
第１側板部２３４は、前面（幅方向の他方側の面）が上下方向全体にわたって平坦な面に形成され、第１中間部分２３４ｃの後面（幅方向の一方側の面）が、第１上側部分２３４ａおよび第１下側部分２３４ｂそれぞれの後面よりも後側に配置されている。
【００２６】
第１把持板部２３１の室外１７側で第１上側中板部２３５、第１下側中板部２３６および第１側板部２３４に囲まれた空部（第１手掛け空部２３７とする）には、使用者が幅方向の一方側から指先を入れて第１把持板部２３１を室内１６側に引けるように構成されている。また、第１把持部２３の室内１６側の面は、使用者が室内１６側から室外１７側に向かって押せる面となっている。
第１把持部２３には、第１把持板部２３１の室外１７側で第１上板部２３２、第１上側中板部２３５および第１側板部２３４に囲まれた第１上側空部２３８と、第１把持板部２３１の室外１７側で第１下板部２３３、第１下側中板部２３６および第１側板部２３４に囲まれた第１下側空部２３９と、が形成されている。
【００２７】
第２把持部２４は、板面が見込み方向を向く平板状の第２把持板部２４１と、第２把持板部２４１の上縁部から室内１６側に延びる第２上板部２４２と、第２把持板部２４１の下縁部から室内１６側に延びる第２下板部２４３と、第２把持板部２４１の前縁部（幅方向の他方側の縁部）から室内１６側に延びる第２側板部２４４と、を有している。
また、第２把持部２４は、第２把持板部２４１の上縁部のやや下側から室内１６側に延びる第２上側中板部２４５と、第２把持板部２４１の下縁部のやや上側から室内１６側に延びる第２下側中板部２４６と、を有している。第２上側中板部２４５は、第２上板部２４２の下側に間隔をあけて配置されている。第２下側中板部２４６は、第２下板部２４３の上側に間隔をあけて配置されている。
【００２８】
第２側板部２４４は、第２上側中板部２４５よりも上側に位置する第２上側部分２４４ａ、および第２下側中板部２４６よりも下側に位置する第２下側部分２４４ｂが、第２上側中板部２４５と第２下側中板部２４６との間の高さに位置する第２中間部分２４４ｃよりも板厚が薄く形成されている。
第２側板部２４４は、前面（幅方向の他方側の面）が上下方向全体にわたって平坦な面に形成され、第２中間部分２４４ｃの後面（幅方向の一方側の面）が、第２上側部分２４４ａおよび第２下側部分２４４ｂそれぞれの後面よりも後側に配置されている。
【００２９】
第２把持板部２４１の室内１６側で第２上側中板部２４５、第２下側中板部２４６および第２側板部２４４に囲まれた空部（第２手掛け空部２４７とする）には、使用者が幅方向の一方側から指先を入れて第２把持板部２４１を室外１７側に引けるように構成されている。また、第２把持部２４の室外１７側の面は、使用者が室外１７側から室内１６側に向かって押せる面となっている。
第２把持部２４には、第２把持板部２４１の室内１６側で第２上板部２４２、第２上側中板部２４５および第２側板部２４４に囲まれた第２上側空部２４８と、第２把持板部２４１の室内１６側で第２下板部２４３、第２下側中板部２４６および第２側板部２４４に囲まれた第２下側空部２４９と、が形成されている。
【００３０】
連結部２５は、第１把持部２３の第１側板部２３４の第１中間部分２３４ｃと第２把持部２４の第２側板部２４４の第２中間部分２４４ｃとの間に、上下方向に間隔をあけて複数設けられている。連結部２５は、棒状の部材で、見込み方向に延びる向きに配置され、見込み方向の一方側（室内１６側）の端部が第１側板部２３４と連結され、見込み方向の他方側（室外１７側）の端部が第２側板部２４４と連結されている。連結部２５の前後方向の寸法（幅方向の寸法）は、第１側板部２３４の第１中間部分２３４ｃおよび第２側板部２４４の第２中間部分２４４ｃの前後方向の寸法よりも小さく設定されている。連結部２５は、第１側板部２３４の第１中間部分２３４ｃおよび第２側板部２４４の第２中間部分２４４ｃの後側に寄った位置に配置され、前面が、第１側板部２３４および第２側板部２４４の前面よりも後側に配置されている。
【００３１】
本実施形態では、５つの連結部２５が設けられていて、上側から下側に向かって第１〜第５連結部２５１〜２５５となっている。第２連結部２５２は、ラッチ当接部２６が接続され、ラッチ当接部２６とともにＵ字形を形成している。
第１連結部２５１および第２連結部２５２は、第１側板部２３４の第１中間部分２３４ｃの上部側と、第２側板部２４４の第２中間部分２４４ｃの上部側と、連結している。
第３連結部２５３は、第１側板部２３４の第１中間部分２３４ｃの高さ方向の略中央と、第２側板部２４４の第２中間部分２４４ｃの高さ方向のほぼ中央と、を連結している。
第４連結部２５４および第５連結部２５５は、第１側板部２３４の第１中間部分２３４ｃの下部側と、第２側板部２４４の第２中間部分２４４ｃの下部側と、連結している。
【００３２】
第１連結部２５１と第２連結部２５２との間隔と、第４連結部２５４と第５連結部２５５との間隔と、は略同じ間隔に設定されている。第２連結部２５２と第３連結部２５３との間隔と、第３連結部２５３と第４連結部２５４との間隔と、は略同じ間隔に設定されている。第１連結部２５１と第２連結部２５２との間隔、および第４連結部２５４と第５連結部２５５との間隔よりも、第２連結部２５２と第３連結部２５３との間隔、および第３連結部２５３と第４連結部２５４との間隔のほうが大きく設定されている。
【００３３】
ラッチ当接部２６は、上下方向に延びる長尺の部材で、第１側板部２３４の室外１７側の端面に沿って設けられた第１ラッチ当接部２６１と、第２側板部２４４の室内１６側の端面に沿って設けられた第２ラッチ当接部２６２と、を有している。第１ラッチ当接部２６１および第２ラッチ当接部２６２は、水平断面形状が上下方向全体にわたって同じ形状となるように形成されている。
【００３４】
第１ラッチ当接部２６１は、上端部が第２連結部２５２の室内１６側の端部と連結され、第２連結部２５２の室内１６側の端部から下側に延びている。第２ラッチ当接部２６２は、上端部が第２連結部２５２の室外１７の端部と連結され、第２連結部２５２の室外１７側の端部から下側に延びている。
第１ラッチ当接部２６１および第２ラッチ当接部２６２それぞれの下端部は、第３連結部２５３よりも上側に配置されている。
第１ラッチ当接部２６１と第２ラッチ当接部２６２とは、見込み方向に間隔をあけて対向して配置され、見込み方向に対称に形成されている。第２連結部２５２の下側で第１ラッチ当接部２６１と第２ラッチ当接部２６２との間隔をラッチ当接溝部２６３とする。
【００３５】
第１ラッチ当接部２６１は、第２ラッチ当接部２６２と対向する室外１７側の端面（第１当接面２６４とする）が、平面視で室外１７側に張り出すように湾曲する円弧面となっている。
第２ラッチ当接部２６２は、第１ラッチ当接部２６１と対向する室内１６側の端面（第２当接面２６５とする）が、平面視で室内１６側に張り出すように湾曲する円弧面となっている。
【００３６】
図４に示すように、ハンドル本体支持部２２は、ハンドル本体２１の後側（幅方向の一方側）に設けられる第１支持部材２７と、ハンドル本体２１の前側に設けられる第２支持部材２８と、を有している。
ハンドル本体支持部２２は、見込み方向に対称となる部材で、見込み方向の一方側が扉１５の扉板部１５２（図１参照）の室内１６側に配置され、見込み方向の他方側が扉板部１５２の室外１７側に配置されている。ハンドル本体支持部２２の見込み方向の中央部分の後側には、扉板部１５２が配置されている。
【００３７】
第１支持部材２７は、上側に配置され第１把持部２３の第１上側空部２３８および第２把持部２４の第２上側空部２４８に挿入される上側支持部２７１と、下側に配置される第１把持部２３の第１下側空部２３９および第２把持部２４の第２下側空部２４９に挿入される下側支持部２７２と、上側部材と下側部材との間に配置され第１把持部２３の第１手掛け空部２３７および第２把持部２４の第２手掛け空部２４７に挿入される中間支持部２７３と、を有している。
【００３８】
上側支持部２７１、下側支持部２７２および中間支持部２７３は、見込み方向の寸法がほぼ同じ寸法に形成されている。
上側支持部２７１と中間支持部２７３との間には、室内１６側（見込み方向の一方側）に前後方向に貫通し室内１６側に開口する第１上側切り欠き部２７４が形成され、室外１７側に前後方向に貫通し室外１７側に開口する第２上側切り欠き部２７５が形成されている。
下側支持部２７２と中間支持部２７３との間には、室内１６側（見込み方向の一方側）に前後方向に貫通し室内１６側に開口する第１下側切り欠き部２７６が形成され、室外１７側に前後方向に貫通し室外１７側に開口する第２下側切り欠き部２７７が形成されている。
【００３９】
第１上側切り欠き部２７４は、第１上側中板部２３５が挿入可能に構成され、第２上側切り欠き部２７５は、第２上側中板部２４５が挿入可能に構成されている。
第１下側切り欠き部２７６は、第１下側中板部２３６が挿入可能に構成され、第２下側切り欠き部２７７は、第２下側中板部２４６が挿入可能に構成されている。
上側支持部２７１、下側支持部２７２および中間支持部２７３それぞれの見込み方向の寸法は、第１把持部２３の第１把持板部２３１と第２把持部２４の第２把持板部２４１との間隔よりも小さく設定されている。
【００４０】
中間支持部２７３は、見込み方向の中間部に配置され上下方向に延びる棒状の棒状部２９１と、棒状部２９１から室内１６側に突出する第１突出板部２９２と、棒状部２９１から室外１７側に突出する第２突出板部２９３と、棒状部２９１の上部側から前側に突出する上側突出部２９４と、棒状部２９１の下部側から前側に突出する下側突出部２９５と、を有している。
【００４１】
棒状部２９１には、前側に開口し上下方向に延びる第１溝部２９６が形成されている。上側突出部２９４は、第１溝部２９６の上側に配置され、下側突出部２９５は、第１溝部２９６の下側に配置されている。上側突出部２９４および下側突出部２９５は、第１突出板部２９２および第２突出板部２９３よりも前側に突出している。
上側突出部２９４および下側突出部２９５は、見込み方向の寸法がほぼ同じ寸法に形成されている。上側突出部２９４および下側突出部２９５の見込み方向の寸法は、第１把持部２３の第１側板部２３４と第２把持部２４の第２側板部２４４の間隔（連結部２５の見込み方向の寸法）よりも小さく設定されている。
【００４２】
第１突出板部２９２は、第１把持部２３の第１手掛け空部２３７に配置され、前面が第１側板部２３４の後面と対向するように構成されている。第２突出板部２９３は、第２把持部２４の第２手掛け空部２４７に配置され、前面が第２側板部２４４の後面と対向するように構成されている。
上側突出部２９４は、第１連結部２５１と第２連結部２５２との間に挿入され、下側突出部２９５は、第４連結部２５４と第５連結部２５５との間に挿入される。
【００４３】
第２支持部材２８は、長尺の平板状に形成され、上下方向に延びて板面が幅方向を向く姿勢で第１把持部２３の第１側板部２３４と第２把持部２４の第２側板部２４４との間で、連結部２５およびラッチ当接部２６の前側に配置されている。第２支持部材２８は、第１把持部２３の第１側板部２３４と第２把持部２４の第２側板部２４４の間隔（連結部２５の見込み方向の寸法）よりも小さく設定されている。
第２支持部材２８には、見込み方向の中央部分に板面を貫通する上下方向に延びる第２溝部２８１が形成されている。
【００４４】
ハンドル本体支持部２２は、第１支持部材２７がハンドル本体２１の第１把持部２３の第１側板部２３４、第２把持部２４の第２側板部２４４、連結部２５およびラッチ当接部２６の後側に配置され、第２支持部材２８がハンドル本体２１の連結部２５およびラッチ当接部２６の前側に配置され、第１支持部材２７と第２支持部材２８とが連結部２５およびラッチ当接部２６を挟むようにしてネジなどの固定具で連結されている。
第１支持部材２７の第１溝部２９６と、第２支持部材２８の第２溝部２８１とは、前後方向に重なるように配置されている。
【００４５】
上述しているが、第１支持部材２７の上側支持部２７１、下側支持部２７２および中間支持部２７３の見込み方向寸法は、第１把持部２３の第１把持板部２３１と第２把持部２４の第２把持板部２４１との間隔よりも小さく設定されている。また、第１支持部材２７の上側突出部２９４、下側突出部２９５および第２支持部材２８の見込み方向の寸法は、第１把持部２３の第１側板部２３４と第２把持部２４の第２側板部２４４との間隔よりも小さく設定されている。
【００４６】
このため、第１支持部材２７の上側支持部２７１、下側支持部２７２および中間支持部２７３が第１把持板部２３１と第２把持板部２４１との間の範囲で見込み方向に相対変位可能に構成されている。なお、第１支持部材２７の上側支持部２７１、下側支持部２７２および中間支持部２７３が第１把持板部２３１と第２把持板部２４１との間で見込み方向に変位する際には、第１支持部材２７の上側突出部２９４、下側突出部２９５および第２支持部材２８は、第１側板部２３４と第２側板部２４４との間で見込み方向に変位する。
これにより、ハンドル本体支持部２２と、ハンドル本体２１とは、見込み方向に相対変位可能に構成されている。
【００４７】
ハンドル本体２１は、図６に示すようなハンドル本体支持部２２に対して、見込み方向の中心がハンドル本体支持部２２の見込み方向の中心と前後方向に重なる位置となる第１位置から、図７に示すような見込み方向の中心がハンドル本体支持部２２の見込み方向の中心よりも室外１７側となる第２位置まで相対的に移動できるとともに、図８に示すような見込み方向の中心がハンドル本体支持部２２の見込み方向の中心よりも室内１６側となる第２位置まで相対的に移動可能に構成されている。
【００４８】
図６に示すように、ハンドル本体２１は、第１位置となると、ラッチ当接溝部２６３の見込み方向の中央が第１支持部材２７の第１溝部２９６および第２支持部材２８の第２溝部２８１の見込み方向の中央と前後方向に重なっている。
ハンドル本体２１の第１把持板部２３１と第１支持部材２７の第１突出板部２９２とが見込み方向に離間し、ハンドル本体２１の第１上側中板部２３５および第１下側中板部２３６と、第１支持部材２７の棒状部２９１とが見込み方向に離間している。このとき、第１把持板部２３１は、第１支持部材２７の上側支持部２７１および下側支持部２７２（図４参照）とも見込み方向に離間している。
【００４９】
ハンドル本体２１の第２把持板部２４１と第１支持部材２７の第２突出板部２９３とが見込み方向に離間し、ハンドル本体２１の第２上側中板部２４５および第２下側中板部２４６と、第２支持部材２８の棒状部２９１とが見込み方向に離間している。このとき、第２把持板部２４１は、第１支持部材２７の上側支持部２７１および下側支持部２７２（図４参照）とも見込み方向に離間している。
また、図４に示すハンドル本体２１の上側突出部２９４および下側突出部２９５は、第１把持部２３の第１側板部２３４第２把持部２４の第２側板部２４４それぞれと離間している。
【００５０】
図７に示すように、ハンドル本体２１は、第２位置となると、ラッチ当接溝部２６３の見込み方向の中央が第１支持部材２７の第１溝部２９６および第２支持部材２８の第２溝部２８１の見込み方向の中央よりも室外１７側に位置している。
ハンドル本体２１の第１把持板部２３１と第１支持部材２７の第１突出板部２９２とが当接し、ハンドル本体２１の第１上側中板部２３５および第１下側中板部２３６と、第１支持部材２７の棒状部２９１とが当接している。このとき、第１把持板部２３１は、第１支持部材２７の上側支持部２７１および下側支持部２７２（図４参照）とも当接している。
【００５１】
ハンドル本体２１の第２把持板部２４１と第１支持部材２７の第２突出板部２９３とが見込み方向に離間し、ハンドル本体２１の第２上側中板部２４５および第２下側中板部２４６と、第２支持部材２８の棒状部２９１とが見込み方向に離間している。このとき、第２把持板部２４１は、第１支持部材２７の上側支持部２７１および下側支持部２７２（図４参照）とも見込み方向に離間している。
また、図４に示すハンドル本体２１の上側突出部２９４および下側突出部２９５は、第２把持部２４の第２側板部２４４と当接し、第１把持部２３の第１側板部２３４と離間している。
【００５２】
図８に示すように、ハンドル本体２１は、第３位置となると、ラッチ当接溝部２６３の見込み方向の中央が第１支持部材２７の第１溝部２９６および第２支持部材２８の第２溝部２８１の見込み方向の中央よりも室内１６側に位置している。
ハンドル本体２１の第２把持板部２４１と第１支持部材２７の第２突出板部２９３とが当接し、ハンドル本体２１の第２上側中板部２４５および第２下側中板部２４６と、第２支持部材２８の棒状部２９１とが当接している。このとき、第２把持板部２４１は、第１支持部材２７の上側支持部２７１および下側支持部２７２（図４参照）とも当接している。
【００５３】
ハンドル本体２１の第１把持板部２３１と第１支持部材２７の第１突出板部２９２とが見込み方向に離間し、ハンドル本体２１の第１上側中板部２３５および第１下側中板部２３６と、第１支持部材２７の棒状部２９１とが見込み方向に離間している。このとき、第１把持板部２３１は、第１支持部材２７の上側支持部２７１および下側支持部２７２（図４参照）とも見込み方向に離間している。
また、図４に示すハンドル本体２１の上側突出部２９４および下側突出部２９５は、第１把持部２３の第１側板部２３４と当接し、第２把持部２４の第２側板部２４４と離間している。
【００５４】
本実施形態では、ハンドル部２には、通常時にハンドル本体２１が第１位置となるようにハンドル本体２１を付勢するバネ（不図示）が設けられている。このため。使用者がハンドル本体２１を押したり引いたりして第２位置や第３位置に移動させた後に、ハンドル本体２１を押したり引いたりすることをやめると、ハンドル本体２１は第１位置に復元されるように構成されている。
本実施形態では、バネは、ハンドル本体２１の第１把持板部２３１と、第１支持部材２７の上側支持部２７１および下側支持部２７２との間、ハンドル本体２１の第２把持板部２４１と第１支持部材２７の上側支持部２７１および下側支持部２７２との間それぞれに配置されている。
【００５５】
図２−図４に示すように、ラッチ部３は、第２縦フレーム１５６の内部に取り付けられてハンドル本体２１の操作に連動して回動し扉１５から幅方向の他方側に出没するラッチ本体３１と、第２縦フレーム１５６のフレーム貫通部１５６ａ（図１参照）に取り付けられてラッチ本体３１を回動可能に支持するラッチ支持部３２と、を有している。上述しているが、図３では、第２縦フレーム１５６とラッチ部３のカバー部３８を省略している。
【００５６】
ラッチ本体３１は、長尺の部材で、長さ方向の途中位置にラッチ支持部３２の軸部３６（回動軸）が連結されている。ラッチ本体３１の軸部３６が連結される部分を軸連結部３３とすると、軸連結部３３は、ラッチ本体３１の長さ方向の中央よりも長さ方向の一方側となる位置に配置されている。このため、ラッチ本体３１における軸連結部３３から長さ方向の一方の端部までの寸法よりも、軸連結部３３から長さ方向の他方の端部までの寸法のほうが長く設定されている。
【００５７】
ラッチ本体３１には、長さ方向の一方側に位置しハンドル本体２１のラッチ当接部２６が当接してハンドル本体２１の動作が作用するハンドル動作作用部３４と、長さ方向の他方側に位置しラッチ受け部４に係止される被係止部３５と、を有している。
ラッチ本体３１は、軸部３６の軸線回りに回動可能な範囲においては、長さ方向の一方側のハンドル動作作用部３４が軸部３６よりも上側に配置され、長さ方向の他方側の被係止部３５が軸部３６よりも下側に配置されている。
ハンドル動作作用部３４および被係止部３５については後述する。
【００５８】
ラッチ支持部３２は、幅方向に貫通しラッチ本体３１が収容される開口部３７１が形成されたラッチ収容部３７と、ラッチ収容部３７に収容されたラッチ本体３１を回動可能に支持する軸部３６と、ラッチ収容部３７の前側（幅方向の他方側）に配置されるカバー部３８と、を有している。
【００５９】
ラッチ収容部３７は、上下方向に延びる部材で、開口部３７１も上下方向に延びている。図６に示すように、ラッチ収容部３７は、ハンドル部２の前側に配置されている。ラッチ収容部３７の開口部３７１は、ハンドル本体支持部２２の第２支持部材２８の第２溝部２８１の前側に配置されている。
図３に示すように、軸部３６は、軸線方向が見込み方向となる向きで、開口部３７１の上下方向の中間部で、開口部３７１の上下方向の中央よりも上側に設けられている。
軸部３６は、ハンドル本体２１のラッチ当接部２６よりも下側に配置されている。
【００６０】
図４に示すように、カバー部３８は、長尺の平板状に形成され、板面が幅方向を向く姿勢で配置されている。カバー部３８には、幅方向に貫通し上下方向に延びる孔部３８１が形成されている。
図２に示すように、カバー部３８は、ラッチ本体３１を回動可能に収容したラッチ収容部３７の前側に配置され、ラッチ収容部３７とネジなどの固定具で固定されるとともに、第２縦フレーム１５６の端面にネジなどの固定具で固定されている。また、カバー部３８は、ハンドル本体支持部２２の第１支持部材２７および第２支持部材２８とネジなどの固定具で固定されている。
これにより、カバー部３８、ラッチ収容部３７、ハンドル本体支持部２２は、第２縦フレーム１５６に固定され、扉１５に対して固定されている。
カバー部３８の孔部３８１は、ラッチ支持部３２の開口部３７１における軸部３６から下側の部分の前側に配置されている。
【００６１】
ラッチ収容部３７に収容され、第２縦フレーム１５６に取り付けられたラッチ本体３１は、上述しているように、回動可能な範囲において、ハンドル動作作用部３４が軸部３６よりも上側に配置され、被係止部３５が軸部３６よりも下側に配置されている。
図９に示すように、ラッチ本体３１は、回動可能な範囲において下部側が最も前側に突出した状態では、被係止部３５の前面３５１がラッチ収容部３７の開口部３７１およびカバー部３８の孔部３８１を通ってカバー部３８の前端面よりも前側に突出している。このとき、被係止部３５の後面３５２は、ラッチ収容部３７の内部に配置されている。また、ハンドル動作作用部３４は、後部側がラッチ収容部３７よりも後側に突出し、前端部がラッチ収容部３７の内部に配置されている。
【００６２】
これに対し、図１０に示すように、ラッチ本体３１は、回動可能な範囲において下部側が最も後側に突出した状態では、被係止部３５の前面３５１は、カバー部３８よりもやや前側に突出し、被係止部３５の後面３５２がラッチ収容部３７よりも後側に突出している。ハンドル動作作用部３４は、ほとんどがラッチ収容部３７の内部に配置され、後側がラッチ収容部３７から少しだけ後側に突出している。
【００６３】
後述するが、ラッチ本体３１は、図９に示すような、回動可能な範囲において被係止部３５が最も前側に位置し、扉１５から突出した状態でラッチ受け部４に係止される。ラッチ本体３１が回動可能な範囲において被係止部３５が最も前側に突出した状態をラッチ突出状態とする。ラッチ本体３１は、ラッチ突出状態では、ハンドル動作作用部３４が被係止部３５よりもハンドル動作作用部３４が上側かつ後側に位置し、下側から上側に向かって漸次後側に向かうように傾斜した姿勢となっている。
また、ラッチ本体３１は、図１０に示すような回動可能な範囲において被係止部３５が最も後側に位置し、扉１５からほとんど突出しない状態となると、ラッチ受け部４による係止が解除される。ラッチ本体３１が回動可能な範囲において下部側が最も後側に配置された状態をラッチ非突出状態とする。ラッチ本体３１は、ラッチ非突出状態では、ハンドル動作作用部３４が被係止部３５よりもハンドル動作作用部３４が上側に位置し、上下方向に延びる姿勢となっている。
【００６４】
本実施形態では、ラッチ本体３１は、軸部３６に支持された状態で、外力が作用していない場合（後述する第１〜第４磁石５１〜５４による外力が作用していない場合も含む）には、ラッチ突出状態となるように構成されている。
以下では、ラッチ本体３１がラッチ突出状態であるものとして説明する。
【００６５】
図４および図１１に示すように、ハンドル動作作用部３４は、後側の部分における室内１６側の面（以下、第１傾斜面３４１とする）が後側から前側に向かって漸次室外１７側から室内１６側に向かう傾斜面に形成され、後側の部分における室外１７側の面（以下、第２傾斜面３４２とする）が後側から前側に向かって漸次室内１６側から室外１７側に向かう傾斜面に形成されている。
第１傾斜面３４１および第２傾斜面３４２は、ハンドル動作作用部３４の長さ（ラッチ本体３１における軸連結部３３よりも長さ方向の一方側の部分）全体にわたって形成されている。
第１傾斜面３４１と第２傾斜面３４２とは、それぞれの後縁部が接続され後側に向かって尖った角部３４３を成している。
【００６６】
被係止部３５は、上側から下側に向かって漸次幅方向の寸法が大きくなるように形成されている。被係止部３５は、ラッチ突出状態となると、前面３５１が略鉛直面となり、後面３５２が上側から下側に向かって漸次後に向かう傾斜面となる。図９に示すように、被係止部３５は、ラッチ非突出状態となると、前面３５１が上側から下側に向かって漸次前側に向かう傾斜面となり、後面３５２が略鉛直面となる。
【００６７】
図９および図１０に示すように、ラッチ部３には、前側部分における上部側となるハンドル動作作用部３４の前側に第１磁石５１が設けられ、前側部分における下部側となる被係止部３５の前側部分に第２磁石５２が設けられている。第１磁石５１は、軸部３６の上側に配置され、第２磁石５２は軸部３６の下側に配置されている。本実施形態では、第１磁石５１および第２磁石５２は、ラッチ部３に内蔵されている。
【００６８】
図２、３、９および１０に示すように、ラッチ受け部４は、ラッチ突出状態のラッチ本体３１の被係止部３５が挿入されるラッチ挿入孔部４３が形成されたラッチ受け部本体４１と、ラッチ受け部本体４１の幅方向の一方側に設けられるカバー部４２と、を有している。
ラッチ挿入孔部４３は、ラッチ受け部４の下部側に形成されている。ラッチ挿入孔部４３は、幅方向の一方側（扉１５側）に開口し、上側から下側に向かって漸次幅方向の他方側（扉１５と離間する側）に深くなるように形成されている。ラッチ挿入孔部４３は、ラッチ本体３１の被係止部３５と同じ高さに配置され、被係止部３５と幅方向に対向するように配置されている。
【００６９】
カバー部４２は、板状の部材で、板面が幅方向を向く姿勢で第２縦枠部１４３に取り付けられる。カバー部４２には、幅方向に貫通する孔部４４が形成されている。
カバー部４２は、ラッチ受け部４の幅方向の一方側に配置され、ネジなどの固定具でラッチ受け部４と連結されている。カバー部４２の孔部４４は、ラッチ受け部４のラッチ挿入孔部４３の幅方向の一方側に重なるように配置され、ラッチ挿入孔部４３を塞がないように構成されている。
【００７０】
図９および図１０に示すように、ラッチ受け部４には、ラッチ挿入孔部４３の上側に第３磁石５３が取り付けられていて、ラッチ挿入孔部４３の幅方向の一方側に第４磁石５４が取り付けられている。
第３磁石５３は、ラッチ本体３１の第１磁石５１と同じ高さに配置され、幅方向に対向する位置に配置されている。第１磁石５１と第３磁石５３とは、互いに反発するように配置されている。
第４磁石５４は、ラッチ本体３１の第２磁石５２と同じ高さに配置され、幅方向に対向する位置に配置されている。第２磁石５２と第４磁石５４とは、互いに吸着するように配置されている。本実施形態では、第３磁石５３および第４磁石５４は、ラッチ受け部４に内蔵されている。
【００７１】
扉１５が開口部１２を閉鎖している状態では、図９に示すように、ラッチ本体３１は、軸部３６よりも上部側が第１磁石５１と第３磁石５３の反発力により後側に向かい、軸部３６よりも下部側が第２磁石５２と第４磁石５４との吸着力により前側に向かい、被係止部３５が扉１５から突出したラッチ突出状態となり、ラッチ受け部４の開口部１２に挿入される。
このとき、軸部３６よりも上側のハンドル動作作用部３４は、ラッチ本体３１が回動可能な範囲内において最も後側に配置され、ラッチ収容部３７よりも後側で、ハンドル本体支持部２２の第２溝部２８１を貫通し、ハンドル本体２１の第１ラッチ当接部２６１と第２ラッチ当接部２６２との間のラッチ当接溝部２６３に前側から入り込んでいる。ハンドル動作作用部３４がラッチ当接溝部２６３の間に入り込むには、図６に示すように、ハンドル本体２１が第１位置に配置されて、ラッチ当接溝部２６３がハンドル本体支持部２２の第２溝部２８１の後側に配置されている必要がある。ラッチ本体３１がラッチ突出状態となっているときには、ハンドル本体２１が第１位置に配置されている。
ラッチ突出状態では、ラッチ本体３１のハンドル動作作用部３４の第１傾斜面３４１にハンドル本体２１の第１ラッチ当接部２６１の第１当接面２６４が当接し、第２傾斜面３４２に第２ラッチ当接部２６２の第２当接面２６５が当接している。
【００７２】
第１位置に配置されているハンドル本体２１が使用者の操作（ハンドル本体２１を押す、または引く）によりハンドル本体支持部２２に対して室外１７側に向かうと、ハンドル本体２１の第１当接面２６４が室外１７側に移動してハンドル動作作用部３４の第１傾斜面３４１を押し、ハンドル本体２１の第２当接面２６５が室外１７側に移動してハンドル動作作用部３４の第２傾斜面３４２と離間する。ハンドル本体２１の第１当接面２６４がハンドル動作作用部３４の第１傾斜面３４１を押すと、第１傾斜面３４１は、室内１６側から室外１７側に向かって漸次後側に向かう傾斜面で、第１ラッチ当接部２６１が室内１６側かつ前側から第１傾斜面３４１を押すため、第１当接面２６４に室外１７側および前側に向かう力が作用する。
【００７３】
これにより、ハンドル動作作用部３４が前側に押されて、ラッチ本体３１が回動する。そして、図７、１０に示すように、ハンドル本体２１が第２位置に到達すると、ハンドル動作作用部３４の後側に第１ラッチ当接部２６１が配置されるため、ハンドル動作作用部３４は、第１ラッチ当接部２６１よりも後側に移動できない状態となる。これにより、ラッチ本体３１が、ラッチ非突出状態となる。
扉１５が開口部１２を閉鎖している状態で、ラッチ本体３１がラッチ非突出状態となると、ラッチ本体３１の被係止部３５がラッチ受け部４のラッチ挿入孔部４３から抜け出た状態となるため、扉１５を開口することができる。ラッチ本体３１がラッチ非突出状態となると、被係止部３５の後部側が、第２支持部材２８の第２溝部２８１、ハンドル本体２１の第１把持部２３と第２把持部２４との間隔、および第１支持部材２７の棒状部２９１の第１溝部２９６に挿入されている。
【００７４】
また、第１位置に配置されているハンドル本体２１が使用者の操作（ハンドル本体２１を押す、または引く）によりハンドル本体支持部２２に対して室内１６側に向かうと、ハンドル本体２１の第２当接面２６５が室内１６側に移動してハンドル動作作用部３４の第２傾斜面３４２を押し、ハンドル本体２１の第１当接面２６４が室内１６側に移動してハンドル動作作用部３４の第１傾斜面３４１と離間する。ハンドル本体２１の第２当接面２６５がハンドル動作作用部３４の第２傾斜面３４２を押すと、第２傾斜面３４２は、室外１７側から室内１６側に向かって漸次後側に向かう傾斜面で、第２ラッチ当接部２６２が室外１７側かつ前側から第２傾斜面３４２を押すため、第２当接面２６５に室内１６側および前側に向かう力が作用する。
【００７５】
これにより、ハンドル動作作用部３４が前側に押されて、ラッチ本体３１が回動する。そして、図８に示すように、ハンドル本体２１が第３位置に到達すると、ハンドル動作作用部３４の後側に第２ラッチ当接部２６２が配置されるため、ハンドル動作作用部３４は、第２ラッチ当接部２６２よりも後側に移動できない状態となる。これにより、ラッチ本体３１が、図１０に示す姿勢と同様のラッチ非突出状態となる。
扉１５が開口部１２を閉鎖している状態で、ラッチ本体３１がラッチ非突出状態となると、ラッチ本体３１の被係止部３５がラッチ受け部４のラッチ挿入孔部４３から抜け出た状態となるため、扉１５を開口することができる。
【００７６】
ハンドル本体２１を第２位置に移動させて扉１５を開口した場合、第３位置に移動させて扉１５を開口した場合のいずれの場合においても、扉１５が開口部１２を開口した状態とし、使用者がハンドル本体２１の操作をやめると、バネの付勢力によってハンドル本体２１が第１位置に復元される。
ハンドル本体２１が第１位置に移動すると、ハンドル動作作用部３４の後側にラッチ当接溝部２６３が配置され、ハンドル動作作用部３４がラッチ当接溝部２６３に挿入可能となるため、ハンドル動作作用部３４が後側に移動するように回動し、ラッチ突出状態となる。
【００７７】
開口部１２を開口している扉１５を閉める場合には、ハンドル本体２１を操作し、扉１５を閉める方向に移動させる。このとき、ハンドル本体２１を操作し、ハンドル本体２１を第２位置または第３位置に移動させることにより、ラッチ本体３１がラッチ非突出状態となる。そして、ラッチ本体３１がラッチ非突出状態となった扉１５で開口部１２を閉鎖し、ハンドル本体２１を第１位置に復元させると、ラッチ本体３１がラッチ突出状態となり、ラッチ受け部４のラッチ挿入孔部４３に挿入される。
【００７８】
次に、上述した本実施形態によるハンドル装置１の作用・効果について図面を用いて説明する。
上述した本実施形態によるハンドル装置１では、ハンドル部２のハンドル本体２１の見込み方向に押し引きされる動作が、ハンドル本体２１からラッチ部３のラッチ本体３１に直接当接して伝達されラッチ本体３１が回動するように構成されている。そして、ラッチ本体３１は、上下方向に対して斜めとなる姿勢となるとラッチ受け部４に係止され、上下方向に延びる姿勢となるとラッチ受け部４による係止が解除される。
このため、ラッチ本体３１をラッチ受け部４に係止された状態と係止されていない状態とに切り替える際には、ラッチ本体３１を大きく回動させる必要がなく、ハンドル本体２１を見込み方向に押し引きするという小さい動作を行えばよい。
【００７９】
このように、ハンドル本体２１がラッチ本体３１と当接しているとともに、ハンドル本体２１の小さい動作でラッチ本体３１を回動させることができるため、ハンドル本体２１の見込み方向への押し引き動作を変換してラッチ本体３１を回動させる機構を簡便な構成とすることができ、ハンドル装置１の部品点数を抑えてコンパクトにすることができる。
ハンドル装置１がコンパクトな形状となることにより、扉１５のフレーム１５１が細い場合でも、ハンドル装置１を建具１３に取り付けることができ、建具１３の意匠性を向上させることができる。
【００８０】
また、ラッチ本体３１は、一方の端部に設けられラッチ受け部４に係止される被係止部３５と、他方の端部に設けられハンドル部２の動作が作用するハンドル動作作用部３４と、を有し、軸部３６は、被係止部３５とハンドル動作作用部３４との間に配置され、軸部３６から被係止部３５までの距離は、軸部３６からハンドル動作作用部３４までの距離よりも長く設定されている。
このような構成とすることにより、ハンドル動作作用部３４の動作が小さくても、被係止部３５を確実に回動させることができる。
また、ハンドル動作作用部３４は、ハンドル動作作用部３４の見込み方向の一方の面に設けられた第１傾斜面３４１と、ハンドル動作作用部３４の見込み方向の他方の面に設けられた第２傾斜面３４２と、を有し、ハンドル部２は、第１傾斜面３４１と当接可能な第１ラッチ当接部２６１と、第２傾斜面３４２と当接可能な第２ラッチ当接部２６２と、を有している。
このような構成とすることにより、ハンドル部２の第１ラッチ当接部２６１およびだい２ラッチ当接部２６２がハンドル動作作用部３４の第１傾斜面３４１および第２傾斜面３４２に直接的に作用するため、複雑な機構を備える必要なくハンドル部２の見込み方向への押し引き動作を変換してラッチ部３を回動させることができる。
【００８１】
以上、本発明によるハンドル装置１の実施形態について説明したが、本発明は上記の実施形態に限定されるものではなく、その趣旨を逸脱しない範囲で適宜変更可能である。
例えば、上記の実施形態では、ラッチ部３は、一方の端部に設けられラッチ受け部４に係止される被係止部３５と、他方の端部に設けられハンドル部２の動作が作用するハンドル動作作用部３４と、を有し、軸部３６は、被係止部３５とハンドル動作作用部３４との間に配置され、軸部３６から被係止部３５までの距離は、軸部３６からハンドル動作作用部３４までの距離よりも長く設定されている。これに対し、ラッチ部３に設けられる軸部３６の位置は適宜設定されてよい。
【００８２】
また、上記の実施形態では、ハンドル動作作用部３４は、見込み方向の一方の面に設けられた第１傾斜面３４１と、ハンドル動作作用部３４の見込み方向の他方の面に設けられた第２傾斜面３４２と、を有し、ハンドル部２は、第１傾斜面３４１と当接可能な第１ラッチ当接部２６１と、第２傾斜面３４２と当接可能な第２ラッチ当接部２６２と、を有している。これに対し、ハンドル動作作用部３４の見込み方向のいずれか一方の面のみに傾斜面が形成され、ハンドル部２にはこの傾斜面と当接するラッチ当接部が設けられていてもよい。
【００８３】
また、第１傾斜面３４１および第２傾斜面３４２の形状は、上記以外であってもよい。
例えば、上記の実施形態では、第１傾斜面３４１および第２傾斜面３４２は、ハンドル動作作用部３４の長さ（ラッチ本体３１における軸部よりも長さ方向の一方側の部分）全体にわたって形成されている。これに対し、図１２に示すハンドル装置１Ｂのラッチ部３Ｂのように、第１傾斜面３４１Ｂおよび第２傾斜面３４２Ｂは、ハンドル動作作用部３４Ｂの長さ方向の一方側の端部近傍のみに形成され、ハンドル動作作用部３４Ｂにおける第１傾斜面３４１Ｂおよび第２傾斜面３４２Ｂよりも下側（軸連結部３３側）の部分は、ハンドル部２（図４参照）と当接しないように構成されていてもよい。
【００８４】
このようにすることにより、ハンドル部２からハンドル動作作用部３４Ｂに作用する力を、ハンドル動作作用部３４Ｂにおける長さ方向の一方側の端部近傍（上端部近傍、軸部３６と離間する側）に作用する構成とすることができるため、ハンドル部２からの小さい力で、ラッチ部３Ｂを回動させることができる。また、ハンドル部２とラッチ部３Ｂとの静摩擦抵抗が発生し、最も操作力が大きい初動にハンドル部２からラッチ部３Ｂへ、操作力を伝達させることができる。
【００８５】
なお、第１傾斜面３４１，３４１Ｂおよび第２傾斜面３４２，３４２Ｂは、平坦な傾斜面でもよいし、途中で勾配が切り替わる傾斜面や、湾曲した傾斜面としてもよい。
例えば、第１傾斜面３４１，３４１Ｂおよび第２傾斜面３４２，３４２Ｂにおけるハンドル部２が最初に当たる後側の部分を前側の部分よりも急な勾配の傾斜面とし、前後方向の途中位置で勾配が切り替えられていてもよい。
【００８６】
また、被係止部３５についても上記以外の形態であってもよい。
例えば、図１２−図１４に示すハンドル装置１Ｂのラッチ部３Ｂのように、被係止部３５Ｂの見込み方向の両面における下縁部に、ラッチ収容部３７の開口部３７１の内周面と摺動する摺動凸部３５３が設けられていてもよい。摺動凸部３５３は、被係止部３５の前後方向の全体にわたって形成されている。摺動凸部３５３は、ラッチ部３がラッチ突出状態となると後側部分３５４が開口部３７１に収容され、ラッチ部３がラッチ非突出状態となると前側部分３５５が開口部３７１に収容される。
摺動凸部３５３の後側部分３５４は、前後方向の全体にわたって突出寸法が均一で、先端面が見込み方向を向く平坦面に形成されている。これに対し、摺動凸部３５３の前側部分３５５は、後側から前側に向かって突出寸法が漸次小さくなる傾斜面に形成されている。
【００８７】
被係止部３５Ｂは、ラッチ部３Ｂが突出状態となると摺動凸部３５３の後側部分３５４が開口部３７１の内周面と当接するが、ラッチ部３が非突出状態となると摺動凸部３５３の前側部分３５５は開口部３７１の内周面と離間している。ラッチ部３Ｂは、摺動凸部３５３の後側部分３５４が開口部３７１の内周面と当接しても、所定の力が作用すると回動可能に構成されている。
このようにすることにより、ラッチ部３Ｂがラッチ突出状態からラッチ非突出状態となる際に、ラッチ部３Ｂのハンドル動作作用部３４Ｂにハンドル部２から見込み方向の力が作用しても、この力によって被係止部３５Ｂが見込み方向に動くことを防止することができる。
また、ラッチ部３Ｂが突出状態の際には、摺動凸部３５３の後側部分３５４が開口部３７１の内周面と当接しているため、ラッチ部３Ｂがラッチ突出状態の際に、ハンドル部２以外からの力によってラッチ部３Ｂが回動することなく、その力を摺動凸部３５３と開口部３７１の内周面との摩擦力で受け止めることができる。
【００８８】
また、上記の実施形態では、ラッチ部３は、第１〜第４磁石５１〜５４によって、扉１５が開口部１２を閉鎖している状態で、ラッチ突出状態を確実に維持できるように構成されている。これに対し、第１〜第４磁石５１〜５４が設けられず、ラッチ部３の形状などによって扉１５が開口部１２を閉鎖している状態で、ラッチ突出状態となるように構成されてもよい。
また、上記の実施形態では、ハンドル装置１は、開き戸に設けられているが、引き戸に設けられていてもよい。
【符号の説明】
【００８９】
１，１Ｂ  ハンドル装置
２  ハンドル部
３，３Ｂ  ラッチ部
４  ラッチ受け部
１２  開口部
１３  建具
１４  枠部
１５  扉
２６  ラッチ当接部
３４，３４Ｂ  ハンドル動作作用部
３５，３５Ｂ  被係止部
３６  軸部（回動軸）
２６１  第１ラッチ当接部
２６２  第２ラッチ当接部
３４１  第１傾斜面（傾斜面）
３４２  第２傾斜面（傾斜面）
【図１】
2020122357.tif 000003
【図２】
2020122357.tif 000004
【図３】
2020122357.tif 000005
【図４】
2020122357.tif 000006
【図５】
2020122357.tif 000007
【図６】
2020122357.tif 000008
【図７】
2020122357.tif 000009
【図８】
2020122357.tif 000010
【図９】
2020122357.tif 000011
【図１０】
2020122357.tif 000012
【図１１】
2020122357.tif 000013
【図１２】
2020122357.tif 000014
【図１３】
2020122357.tif 000015
【図１４】
2020122357.tif 000016